(57)【要約】【課題】包装シートのゆがみ、皺等の影響を受けにくい文字情報を使用者に提供しつつ、使用者に包装シートのゆがみ、皺等が認識されにくい、吸収性物品の個包装体を提供すること。【解決手段】吸収性物品３と、剥離シート９と、包装シート１５とが、２以上の折軸で、吸収性物品３の長手方向Ｌに折畳まれている、吸収性物品の個包装体１であって、個包装体１が、２以上の折軸により、開封部を構成する第１領域Ｒ1と、第２領域Ｒ2と、第３領域Ｒ3とに少なくとも区画され、個包装体１が、第１領域Ｒ1又は第２領域Ｒ2において、包装シート１５に配置された、文字情報を含む文字領域と、剥離シート９を包装シート１５に固定する固定部２５とを備え、第１領域Ｒ1又は第２領域Ｒ2において、文字領域と、固定部２５とが、厚さ方向Ｔに重複しておらず、そして所定方向において、上記文字領域の長さが、固定部２５の長さよりも長いことを特徴とする個包装体１。【選択図】図１
2018075318.tif 000002
【特許請求の範囲】
【請求項１】
長手方向を有する吸収性物品と、剥離シートと、包装シートとが、２以上の折軸で前記長手方向に折畳まれている、厚さ方向を有する吸収性物品の個包装体であって、
前記個包装体が、前記２以上の折軸により、開封部を構成する第１領域と、第１領域と連結する第２領域と、第２領域と連結し且つ前記厚さ方向において第１領域及び第２領域の間に配置されている第３領域とに少なくとも区画され、
前記個包装体が、第１領域又は第２領域において、前記包装シートに配置された、文字情報を含む文字領域と、前記剥離シートを前記包装シートに固定する固定部とを備え、
第１領域又は第２領域において、前記文字領域と、前記固定部とが、前記厚さ方向に重複しておらず、そして所定方向において、前記文字領域の長さが、前記固定部の長さよりも長い、
ことを特徴とする、前記個包装体。
【請求項２】
第１領域又は第２領域において、前記文字領域及び前記固定部が、前記吸収性物品の長手軸線に沿って配置されている、請求項１に記載の個包装体。
【請求項３】
前記文字領域が、前記吸収性物品の第１領域に存在する部分と、前記吸収性物品の第２領域に存在する部分とが重複する範囲に配置されている、請求項１又は２に記載の個包装体。
【請求項４】
前記吸収性物品が、第１領域及び第２領域に配置された吸収体を備え、前記文字領域が、前記吸収体の第１領域に存在する部分と、前記吸収体の第２領域に存在する部分とが重複する範囲に配置されている、請求項３に記載の個包装体。
【請求項５】
前記吸収体が、第３領域にさらに配置されており、前記文字領域が、前記吸収体の第３領域に存在する部分とさらに重複する範囲に配置されている、請求項４に記載の個包装体。
【請求項６】
前記個包装体が、第１領域において、前記文字領域及び前記固定部を備えるとともに、前記包装シートの端部に配置されたタブをさらに備え、第１領域において、前記固定部と、前記文字領域と、前記タブとが、その順番で、前記吸収性物品の長手軸線に沿って配置されている、請求項１〜５のいずれか一項に記載の個包装体。
【請求項７】
第１領域及び第２領域のそれぞれにおいて、前記文字領域と、前記固定部とが、前記厚さ方向に重複しておらず、そして所定方向において、前記文字領域の長さが、前記固定部の長さよりも長い、請求項１〜６のいずれか一項に記載の個包装体。
【請求項８】
前記個包装体が、第１領域における、前記包装シートの端部に配置されたタブと、第３領域における、前記剥離シートを前記包装シートに固定する固定部とをさらに備え、前記タブが、前記包装シートの第３領域に存在する部分の、前記固定部と前記厚さ方向に重複する領域に固定されている、請求項１〜７のいずれか一項に記載の個包装体。
【請求項９】
複数の個包装体を含む、個包装体のパッケージであって、
前記複数の個包装体のそれぞれが、請求項１〜８のいずれか一項に記載の個包装体であり、
前記複数の個包装体のそれぞれが、残余の前記個包装体の少なくとも一部の前記文字情報と異なる文字情報を含む、
ことを特徴とする、前記パッケージ。
【発明の詳細な説明】
【技術分野】
【０００１】
本開示は、吸収性物品の個包装体、及び上記個包装体のパッケージに関する。
【背景技術】
【０００２】
吸収性物品の個包装体では、吸収性物品を、包装シートに剥離可能に固定するために、剥離紙等の剥離シートを包装シートに固定し、包装シートに固定された剥離シートに、吸収性物品を剥離可能に固定したものが知られている。
【０００３】
例えば、特許文献１には、生理用ナプキンと包装用シートとからなり、前記ナプキンが、その非肌当面に止着するための粘着域とこれを被覆保護する剥離紙とを有し、該剥離紙が外面になるように該ナプキンの長手方向に折り重ねられるとともに、前記シートの長手方向中央域が前記ナプキンの前記非肌当面中央域に、該シートの長手方向両端域が前記ナプキンの前記非肌当面両端域近傍に位置し、かつ、該シートが互いに重なるように、該シートで包被されている生理用ナプキン包装体が記載されている。また、特許文献１の請求項２には、前記止着域の外面に複数のしわが形成されていることが記載されている。
【先行技術文献】
【特許文献】
【０００４】
【特許文献１】特開平９−１０２５８号公報
【発明の概要】
【発明が解決しようとする課題】
【０００５】
特許文献１に記載されるように、粘着域を介して、包装用シートに剥離紙を固定する場合には、高温に加熱された粘着域等に起因して、包装用シートの、粘着域の外縁と重複する部分にゆがみが生じていた。また、吸収性物品の個包装体を連続生産する際に、包装用シートの搬送速度と、剥離紙、吸収性物品等との搬送速度との間に速度差が生ずると、包装用シートの、粘着域と重複する部分に、皺が生ずる場合があった。
【０００６】
従って、個包装体の包装用シートに、文字情報等を含む文字領域が配置されている場合には、文字情報が、包装用シートのゆがみ、皺等の影響を受け、使用者が、文字情報を認識しにくい場合があった。また、文字領域に含まれる文字情報が、ゆがみ、皺等と重なった場合には、当該文字情報が、包装シートのゆがみ、皺等を目立たせていた場合もあった。
従って、本開示は、包装シートのゆがみ、皺等の影響を受けにくい文字情報を使用者に提供しつつ、使用者に包装シートのゆがみ、皺等が認識されにくい、吸収性物品の個包装体を提供することを目的とする。
【課題を解決するための手段】
【０００７】
本開示者らは、長手方向を有する吸収性物品と、剥離シートと、包装シートとが、２以上の折軸で上記長手方向に折畳まれている、厚さ方向を有する吸収性物品の個包装体であって、上記個包装体が、上記２以上の折軸により、開封部を構成する第１領域と、第１領域と連結する第２領域と、第２領域と連結し且つ上記厚さ方向において第１領域及び第２領域の間に配置されている第３領域とに少なくとも区画され、上記個包装体が、第１領域又は第２領域において、上記包装シートに配置された、文字情報を含む文字領域と、上記剥離シートを上記包装シートに固定する固定部とを備え、第１領域又は第２領域において、上記文字領域と、上記固定部とが、上記厚さ方向に重複しておらず、そして所定方向において、上記文字領域の長さが、上記固定部の長さよりも長いことを特徴とする個包装体を見出した。
【発明の効果】
【０００８】
本開示の、吸収性物品の個包装体は、包装シートのゆがみ、皺等の影響を受けにくい文字情報を使用者に提供しつつ、使用者に包装シートのゆがみ、皺等が認識されにくい。
【図面の簡単な説明】
【０００９】
【図１】図１は、第１実施形態に従う、個包装体１の斜視図である。
【図２】図２は、個包装体１の正面図（第１領域Ｒ1側の図）である。
【図３】図３は、個包装体１の背面図（第２領域Ｒ2側の図）である。
【図４】図４は、展開状態における、個包装体１の内面図である。
【図５】図５は、展開状態における、個包装体１の外面図である。
【図６】図６は、展開状態における、個包装体１の分解斜視図である。
【図７】図７は、吸収性物品３及び吸収体３５を説明するための図である。
【図８】図８は、図１のＶＩＩＩ−ＶＩＩＩ断面における、個包装体１の断面図である。
【図９】図９は、吸収性物品３及び吸収体３５の厚さ方向Ｔの重複関係を説明するための図である。
【発明を実施するための形態】
【００１０】
具体的には、本開示は以下の態様に関する。
［態様１］
長手方向を有する吸収性物品と、剥離シートと、包装シートとが、２以上の折軸で上記長手方向に折畳まれている、厚さ方向を有する吸収性物品の個包装体であって、
上記個包装体が、上記２以上の折軸により、開封部を構成する第１領域と、第１領域と連結する第２領域と、第２領域と連結し且つ上記厚さ方向において第１領域及び第２領域の間に配置されている第３領域とに少なくとも区画され、
上記個包装体が、第１領域又は第２領域において、上記包装シートに配置された、文字情報を含む文字領域と、上記剥離シートを上記包装シートに固定する固定部とを備え、
第１領域又は第２領域において、上記文字領域と、上記固定部とが、上記厚さ方向に重複しておらず、そして所定方向において、上記文字領域の長さが、上記固定部の長さよりも長い、
ことを特徴とする、上記個包装体。
【００１１】
使用者が、吸収性物品の個包装体を、パッケージ、バッグ等から取出す際には、使用者は、吸収性物品の個包装体を、その第１領域又は第２領域に配置された文字領域に含まれる文字情報、デザイン等を元に認識する。
吸収性物品と、剥離シートと、包装シートとを備え、剥離シートが、固定部を介して包装シートに固定されている吸収性物品の個包装体の製造においては、加熱された固定部が、常温に冷却される前に包装シートに適用されるため、包装シートの、固定部の外縁と重複する部分に、程度の差はあるが、ゆがみが生じていた。また、吸収性物品の個包装体の連続生産において、包装シートの搬送速度と、剥離シート、吸収性物品等との搬送速度との測度差が生ずると、包装シートの、固定部と重複する部分に皺が生ずる場合があった。なお、本明細書では、包装シートの、固定部の外縁と重複する部分におけるゆがみ、包装シートの、固定部と重複する部分における皺等を、「固定部関連ゆがみ等」と称する場合がある。
【００１２】
吸収性物品の個包装体では、包装シートの固定部関連ゆがみ等は、本来的には存在しないことが好ましいものではあるが、包装シートが固定部関連ゆがみ等を有する場合には、使用者が、包装シートの固定部関連ゆがみ等を認識しにくいことが好ましい。
【００１３】
上記個包装体では、第１領域又は第２領域において、（ｉ）文字領域と、固定部とが、個包装体の厚さ方向に重複しておらず、そして（ｉｉ）所定方向において、文字領域の長さが、固定部の長さよりも長い。従って、第１領域又は第２領域において、文字領域に含まれる文字情報が、包装シートの固定部関連ゆがみ等の影響を受けにくく、使用者が、文字領域に含まれる文字情報を正しく認識することができる。また、第１領域又は第２領域において、使用者が、文字領域に含まれる文字情報を正しく認識することができるため、使用者が文字情報に注目し、包装シートの固定部関連ゆがみ等が認識されにくくなる。
【００１４】
［態様２］
第１領域又は第２領域において、上記文字領域及び上記固定部が、上記吸収性物品の長手軸線に沿って配置されている、態様１に記載の個包装体。
【００１５】
剥離シートを包装シートに固定する固定部が、吸収性物品の長手軸線に沿って、すなわち、吸収性物品の幅方向中央に配置されている場合には、剥離シート、ひいては吸収性物品を、包装シートに効率よく固定することができる一方で、包装シートの固定部関連ゆがみ等が目立ちやすくなる。
【００１６】
上記個包装体では、固定部が、吸収性物品の長手軸線に沿って配置されているので、剥離シート、ひいては吸収性物品を、包装シートに効率よく固定することができる。また、上記個包装体では、固定部のみならず、文字領域が、吸収性物品の長手軸線に沿って配置されているので、使用者が、文字領域に含まれる文字情報に、より注目しやすくなり、包装シートの固定部関連ゆがみ等が認識されにくくなる。
【００１７】
［態様３］
上記文字領域が、上記吸収性物品の第１領域に存在する部分と、上記吸収性物品の第２領域に存在する部分とが重複する範囲に配置されている、態様１又は２に記載の個包装体。
【００１８】
上記個包装体では、文字領域が、吸収性物品の第１領域に存在する部分と、吸収性物品の第２領域に存在する部分とが重複する範囲に配置されているので、文字領域と重複する部分における個包装体の厚さが厚くなり、文字領域が引き延ばされた状態になりやすい。また、文字領域と、固定部との間の、個包装体の平面方向の間隔が近い場合には、固定部関連ゆがみ等、特に、ゆがみが引き延ばされやすくなり、固定部関連ゆがみ等、特に、ゆがみが物理的に小さくなる。
【００１９】
従って、使用者が、文字領域に含まれる文字情報を正しく認識しやすくなるとともに、使用者が、固定部関連ゆがみ等よりも文字領域に含まれる文字情報に着目しやすくなるので、包装シートの固定部関連ゆがみ等が認識されにくくなる。
【００２０】
［態様４］
上記吸収性物品が、第１領域及び第２領域に配置された吸収体を備え、上記文字領域が、上記吸収体の第１領域に存在する部分と、上記吸収体の第２領域に存在する部分とが重複する範囲に配置されている、態様３に記載の個包装体。
【００２１】
上記個包装体では、文字領域が、吸収体の第１領域に存在する部分と、吸収体の第２領域に存在する部分とが重複する範囲に配置されているので、文字領域と重複する部分における個包装体の厚さが厚くなるので、文字領域が引き延ばされた状態になりやすい。また、文字領域と、固定部との間の、個包装体の平面方向の間隔が近い場合には、固定部関連ゆがみ等、特に、ゆがみが引き延ばされやすくなり、固定部関連ゆがみ等、特に、ゆがみが物理的に小さくなる。
【００２２】
また、上記個包装体は、折軸を間に挟んで、第１領域及び第２領域に吸収体を備えるため、吸収体の剛性による復元力に起因して、第１領域が、第２領域から浮いた状態になりやすいので、文字領域が引き延ばされた状態になりやすい。また、固定部関連ゆがみ等、特に、ゆがみも引き延ばされやすくなり、固定部関連ゆがみ等、特に、ゆがみが物理的に小さくなる。
【００２３】
従って、上記個包装体では、使用者が、文字領域に含まれる文字情報を正しく認識しやすくなるとともに、使用者が、固定部関連ゆがみ等よりも文字領域に含まれる文字情報に着目しやすくなり、包装シートの固定部関連ゆがみ等が認識されにくくなる。
【００２４】
［態様５］
上記吸収体が、第３領域にさらに配置されており、上記文字領域が、上記吸収体の第３領域に存在する部分とさらに重複する範囲に配置されている、態様４に記載の個包装体。
上記個包装体では、文字領域が、吸収体の第１領域に存在する部分と、吸収体の第２領域に存在する部分と、吸収体の第３領域に存在する部分とが重複する範囲に配置されているので、態様４の効果がより得られやすくなる。
【００２５】
［態様６］
上記個包装体が、第１領域において、上記文字領域及び上記固定部を備えるとともに、上記包装シートの端部に配置されたタブをさらに備え、第１領域において、上記固定部と、上記文字領域と、上記タブとが、その順番で、上記吸収性物品の長手軸線に沿って配置されている、態様１〜５のいずれか一項に記載の個包装体。
【００２６】
上記個包装体では、第１領域において、固定部と、文字領域と、タブとが、その順番で、吸収性物品の長手軸線に沿って配置されているので、個包装体の製造において、タブを取付ける際に、ひいては製造された個包装体において、文字領域及び固定部関連ゆがみ等が引き延ばされやすくなる。従って、使用者が、文字領域に含まれる文字情報を正しく認識することができるとともに、使用者が、固定部関連ゆがみ等よりも文字領域に含まれる文字情報に着目しやすくなるので、包装シートの固定部関連ゆがみ等が認識されにくくなる。
【００２７】
［態様７］
第１領域及び第２領域のそれぞれにおいて、上記文字領域と、上記固定部とが、上記厚さ方向に重複しておらず、そして所定方向において、上記文字領域の長さが、上記固定部の長さよりも長い、態様１〜６のいずれか一項に記載の個包装体。
上記個包装体では、第１領域及び第２領域の両方において、態様１の効果が得られる。
【００２８】
［態様８］
上記個包装体が、第１領域における、上記包装シートの端部に配置されたタブと、第３領域における、上記剥離シートを上記包装シートに固定する固定部とをさらに備え、上記タブが、上記包装シートの第３領域に存在する部分の、上記固定部と上記厚さ方向に重複する領域に固定されている、態様１〜７のいずれか一項に記載の個包装体。
【００２９】
上記個包装体では、タブが、包装シートの第３領域に存在する部分の、固定部と厚さ方向に重複する領域に固定されているので、包装シートの第３領域に存在する部分の、固定部関連ゆがみ等の少なくとも一部がタブに被覆されるので、包装シートの第３領域に存在する部分の固定部関連ゆがみ等が認識されにくくなる。
【００３０】
［態様９］
複数の個包装体を含む、個包装体のパッケージであって、
上記複数の個包装体のそれぞれが、請求項１〜８のいずれか一項に記載の個包装体であり、
上記複数の個包装体のそれぞれが、残余の上記個包装体の少なくとも一部の上記文字情報と異なる文字情報を含む、
ことを特徴とする、上記パッケージ。
【００３１】
上記個包装体のパッケージでは、個々の個包装体が、その他の個包装体の少なくとも一部の文字領域に含まれる文字情報と異なる文字情報を含むので、使用者が、個包装体を取出した際に、他の個包装体と異なる部分、すなわち、異なる文字情報に着目しやすくなり、包装シートの固定部関連ゆがみ等に着目しにくくなる。
【００３２】
本開示の、吸収性物品の個包装体、及び個包装体のパッケージについて、以下、詳細に説明する。なお、本明細書では、吸収性物品の個包装体を、単に「個包装体」と称する場合がある。
図１〜図９は、本開示の実施形態の１つ（以下、「第１実施形態」と称する）に従う吸収性物品の個包装体１、具体的には、生理用ナプキンの個包装体１を説明するための図である。具体的には、図１は、第１実施形態に従う個包装体１の斜視図である。図２は、個包装体１の正面図（第１領域Ｒ1側の図）である。図３は、個包装体１の背面図（第２領域Ｒ2側の図）である。
【００３３】
図４は、展開状態における、個包装体１の内面図である。図５は、展開状態における、個包装体１の外面図である。図６は、展開状態における、個包装体１の分解斜視図である。なお、図６では、個包装体１の外面が上を向き、個包装体１の内面が下を向いている。図７は、吸収性物品３及び吸収体３５を説明するための図である。図８は、図１のＶＩＩＩ−ＶＩＩＩ断面における、個包装体１の断面図である。図９は、吸収性物品３及び吸収体３５の厚さ方向Ｔの重複関係を説明するための図である。
【００３４】
第１実施形態に従う個包装体１は、図１に示されるように、お互いに直交する開封方向Ｏと、交差方向Ｃと、厚さ方向Ｔとを有する。個包装体１は、交差方向Ｃの両端部に配置されたシール部１０１と、封止用粘着部１０３とによりシールされており、ゴミ等が、個包装体１の内部に侵入することを抑制している。包装シート１５の一方の端部１０７の近傍には、タブ１０５が配置されており、使用者は、吸収性物品３の使用に際して、個包装体１のタブ１０５を把持して個包装体１を開封し、個包装体１から吸収性物品３を取出すことができる。
【００３５】
図４〜図６に示されるように、個包装体１では、長手方向Ｌ及び幅方向Ｗを有する吸収性物品３と、剥離シート９と、包装シート１５とが、幅方向Ｗに延びる、２本の第１折軸ＦＡ1及び第２折軸ＦＡ2により、長手方向Ｌに折畳まれている。図６に示されるように、吸収性物品３と、剥離シート９との間には、吸収性物品３を着衣に固定するための粘着部４１が配置され、そして剥離シート９と、包装シート１５との間には、剥離シート９を包装シート１５に固定するための固定部２５が配置されている。
【００３６】
個包装体１、並びに吸収性物品３、剥離シート９及び包装シート１５は、包装シート１５の一方の端部１０７（タブ１０５よりの端部）及び第１折軸ＦＡ1の間の第１領域Ｒ1と、第１折軸ＦＡ1及び第２折軸ＦＡ2の間の第２領域Ｒ2と、第２折軸ＦＡ2及び包装シート１５の他方の端部１０９の間の第３領域Ｒ3とに区画される。
【００３７】
包装シート１５、剥離シート９及び吸収性物品３のそれぞれは、第１領域Ｒ1、第２領域Ｒ2及び第３領域Ｒ3に渡って連続して配置されている。本明細書では、包装シート１５の、第１領域Ｒ1、第２領域Ｒ2及び第３領域Ｒ3に存在する部分を、それぞれ、包装シート第１領域存在部分１６、包装シート第２領域存在部分１７及び包装シート第３領域存在部分１８と称する場合がある。
【００３８】
同様に、剥離シート９の、第１領域Ｒ1、第２領域Ｒ2及び第３領域Ｒ3に存在する部分を、それぞれ、剥離シート第１領域存在部分１０、剥離シート第２領域存在部分１１及び剥離シート第３領域存在部分１２と称する場合がある。同様に、吸収性物品３の、第１領域Ｒ1、第２領域Ｒ2及び第３領域Ｒ3に存在する部分を、それぞれ、吸収性物品第１領域存在部分４、吸収性物品第２領域存在部分５及び吸収性物品第３領域存在部分６と称する場合がある。
【００３９】
なお、吸収性物品３は、第１領域Ｒ1、第２領域Ｒ2及び第３領域Ｒ3に渡って連続して配置されている吸収体３５を備え、吸収体３５の、第１領域Ｒ1、第２領域Ｒ2及び第３領域Ｒ3に存在する部分を、それぞれ、吸収体第１領域存在部分３６、吸収体第２領域存在部分３７及び吸収体第３領域存在部分３８と称する場合がある。
【００４０】
固定部２５は、第１領域Ｒ1、第２領域Ｒ2及び第３領域Ｒ3に配置されている。第１領域Ｒ1、第２領域Ｒ2及び第３領域Ｒ3に存在する固定部２５を、それぞれ、第１固定部２６、第２固定部２７及び第３固定部２８と称する場合がある。なお、第１固定部２６、第２固定部２７及び第３固定部２８は、お互いに離間して、吸収性物品３の長手軸線ＬＡに沿って配置されている。
【００４１】
個包装体１では、その厚さ方向Ｔにおいて、第２領域Ｒ2の上に第３領域Ｒ3が配置され、第３領域Ｒ3の上に、第１領域Ｒ1が配置されている。換言すると、個包装体１では、第２領域Ｒ2を基部とし、第２領域Ｒ2の第１折軸ＦＡ1と接する端縁を固定端として、第１領域が連結され、そして第２領域Ｒ2の第２折軸ＦＡ2と接する端縁を固定端として、第３領域Ｒ3が連結されており、個包装体１は、巻三折り構造を有している。
なお、第１実施形態では、吸収性物品３の長手方向Ｌ及び幅方向Ｗは、それぞれ、個包装体１の開封方向Ｏ及び交差方向Ｃと同一である。
【００４２】
個包装体１は、図１〜図３に示されるように、第１領域Ｒ1に、標語である第１文字情報（Ｔｏｍｏｒｒｏｗ  ｉｓ  ａｎｏｔｈｅｒ  ｄａｙ）を外縁とする第１領域内第１文字領域３１を備えている。また、個包装体１は、第２領域Ｒ2に、標語である第１文字情報（Ｔｏｍｏｒｒｏｗ  ｉｓ  ａｎｏｔｈｅｒ  ｄａｙ）を外縁とする第２領域内第１文字領域３３と、商品名である第２文字情報（Ｎａｐｋｉｎ２５０）を外縁とする第２領域内第２文字領域３４とを備えている。第１領域内第１文字領域３１、第２領域内第１文字領域３３及び第２領域内第２文字領域３４のそれぞれは、包装シート１５の外面２１（個包装体１の外面２１）の印刷により形成されている。
【００４３】
図１及び図２に示されるように、第１領域Ｒ1では、包装シート１５（包装シート第１領域存在部分１６）の、第１固定部２６の外縁に沿って、ゆがみ４３が形成されている。第１領域Ｒ1では、第１領域内第１文字領域３１と、第１固定部２６とは、厚さ方向Ｔに重複しておらず、すなわち、個包装体１の平面方向（図示せず）に離間しており、そして吸収性物品３の幅方向Ｗ（個包装体１の交差方向Ｃ）において、第１領域内第１文字領域３１の長さＬ1が、第１固定部２６の長さＬ2よりも長い。
【００４４】
それにより、第１領域Ｒ1において、第１領域内第１文字領域３１に含まれる第１文字情報が、包装シート１５（包装シート第１領域存在部分１６）のゆがみ４３の影響を受けにくく、使用者が、第１領域内第１文字領域３１に含まれる第１文字情報を正しく認識することができる。また、使用者が、第１領域内第１文字領域３１に含まれる第１文字情報に注目し、包装シート１５（包装シート第１領域存在部分１６）のゆがみ４３に着目しにくくなる。
【００４５】
また、第１領域内第１文字領域３１と、第１固定部２６とは、吸収性物品３の長手軸線ＬＡに沿って配置されている。それにより、剥離シート９（剥離シート第１領域存在部分１０）、ひいては吸収性物品３を、包装シート１５（包装シート第１領域存在部分１６）に効率よく固定することができる一方で、使用者が、第１領域内第１文字領域３１に含まれる第１文字情報に、より注目しやすくなり、包装シート１５（包装シート第１領域存在部分１６）のゆがみ４３に着目しにくくなる。
【００４６】
図８及び図９に示されるように、第１領域内第１文字領域３１は、吸収性物品第１領域存在部分４と、吸収性物品第２領域存在部分５と、吸収性物品第３領域存在部分６とが重複する範囲に配置されている。それにより、第１領域内第１文字領域３１と重複する部分における個包装体１の厚さが厚くなり、第１領域内第１文字領域３１が、個包装体１の平面方向に引き延ばされた状態になりやすい。
【００４７】
また、第１領域内第１文字領域３１と、第１固定部２６との間の、個包装体１の平面方向の間隔が近いので、ゆがみ４３（図１及び図２を参照のこと）が引き延ばされやすくなり、ゆがみ４３が物理的に小さくなる。その結果、使用者が、第１領域内第１文字領域３１に含まれる第１文字情報を正しく認識しやすくなるとともに、使用者が、ゆがみ４３よりも第１領域内第１文字領域３１に含まれる第１文字情報に着目しやすくなり、包装シート１５（包装シート第１領域存在部分１６）ゆがみ４３に着目しにくくなる。
【００４８】
図９に示されるように、第１領域内第１文字領域３１は、吸収体第１領域存在部分３６と、吸収体第２領域存在部分３７と、吸収体第３領域存在部分３８とが重複する範囲に配置されている。それにより、第１領域内第１文字領域３１と重複する部分における個包装体１の厚さが厚くなり、第１領域内第１文字領域３１が、個包装体１の平面方向に引き延ばされた状態になりやすい。また、吸収体３５の剛性による復元力に起因して、第１領域Ｒ1が、第２領域Ｒ2から浮いた状態になりやすく、第１領域内第１文字領域３１が引き延ばされた状態になりやすい。さらに、第１領域内第１文字領域３１と、第１固定部２６との間の、個包装体の平面方向の間隔が近いので、ゆがみ４３（図１及び図２を参照のこと）が引き延ばされやすくなり、ゆがみ４３が物理的に小さくなる。
【００４９】
その結果、使用者が、第１領域内第１文字領域３１に含まれる第１文字情報を正しく認識しやすくなるとともに、使用者が、ゆがみ４３よりも第１領域内第１文字領域３１に含まれる第１文字情報に着目しやすくなり、包装シート１５（包装シート第１領域存在部分１６）のゆがみ４３に着目しにくくなる。
【００５０】
第１領域Ｒ1では、第１固定部２６と、第１領域内第１文字領域３１と、タブ１０５とが、その順番で、吸収性物品３の長手軸線ＬＡに沿って配置されている。それにより、第１領域内第１文字領域３１及びゆがみ４３が引き延ばされやすくなる。従って、使用者が、第１領域内第１文字領域３１に含まれる第１文字情報を正しく認識することができるとともに、使用者が、ゆがみ４３よりも第１領域内第１文字領域３１に含まれる第１文字情報に着目しやすくなり、包装シート１５（包装シート第１領域存在部分１６）のゆがみ４３に着目しにくくなる。
【００５１】
図３に示されるように、第２領域Ｒ2では、包装シート１５（包装シート第２領域存在部分１７）の、第２固定部２７の外縁に沿って、ゆがみ４３が形成されており、そして包装シート１５（包装シート第２領域存在部分１７）の、第２固定部２７と重複する部分に、皺４５が形成されている。
【００５２】
第２領域Ｒ2では、第２領域内第１文字領域３３及び第２領域内第２文字領域３４と、第２固定部２７とは、厚さ方向Ｔに重複しておらず、すなわち、個包装体１の平面方向（図示せず）に離間しており、そして吸収性物品３の幅方向Ｗ（個包装体１の交差方向Ｃ）において、第２領域内第１文字領域３３の長さＬ3及び第２領域内第２文字領域３４の長さＬ4のそれぞれが、第２固定部２７の長さＬ5よりも長い。
【００５３】
それにより、第２領域Ｒ2において、第２領域内第１文字領域３３に含まれる第１文字情報と、第２領域内第２文字領域３４に含まれる第２文字情報とが、包装シート１５（包装シート第２領域存在部分１７）のゆがみ４３と、皺４５との影響を受けにくく、使用者が、第１文字情報及び第２文字情報を正しく認識することができる。また、使用者が、第１文字情報及び第２文字情報に注目し、包装シート１５（包装シート第１領域存在部分１６）のゆがみ４３と、皺４５とに着目しにくくなる。
【００５４】
また、第２領域Ｒ2において、第２領域内第１文字領域３３と、第２領域内第２文字領域３４と、第２固定部２７とは、吸収性物品３の長手軸線ＬＡに沿って配置されている。その効果は、第１領域Ｒ1におけるものと同様であるため、説明を省略する。
さらに、第２領域Ｒ2において、第２領域内第１文字領域３３及び第２領域内第２文字領域３４は、吸収性物品第１領域存在部分４と、吸収性物品第２領域存在部分５とが重複する範囲に配置されている。その効果は、第１領域Ｒ1におけるものと同様であるため、説明を省略する。
【００５５】
図８に示されるように、第２領域内第１文字領域３３は、吸収性物品第１領域存在部分４と、吸収性物品第２領域存在部分５と、吸収性物品第３領域存在部分６の一部とが重複する範囲に配置されている。また、第２領域内第２文字領域３４は、吸収性物品第１領域存在部分４と、吸収性物品第２領域存在部分５と、吸収性物品第３領域存在部分６とが重複する範囲に配置されている。その効果は、第１領域Ｒ1におけるものと同様であるため、説明を省略する。
【００５６】
第２領域内第１文字領域３３は、吸収体第１領域存在部分３６と、吸収体第２領域存在部分３７とが重複する範囲に配置されている。また、第２領域内第２文字領域３４は、吸収体第１領域存在部分３６と、吸収体第２領域存在部分３７と、吸収体第３領域存在部分３８とが重複する範囲に配置されている。それらの効果は、第１領域Ｒ1におけるものと同様であるため、説明を省略する。
【００５７】
図１及び図８に示されるように、第３領域Ｒ3では、包装シート１５（包装シート第３領域存在部分１８）の、第３固定部２８の外縁に沿って、皺４５が形成されている。タブ１０５は、包装シート第３領域存在部分１８の、第３固定部２８と、厚さ方向Ｔに重複する領域に固定されている。すなわち、第３固定部２８は、包装シート第３領域存在部分１８の内面２３に固定されており、タブ１０５は、包装シート第３領域存在部分１８の外面２１に固定されており、第３固定部２８が固定される包装シート第３領域存在部分１８の内面２３と、タブ１０５が固定される包装シート第３領域存在部分１８の外面２１とは、厚さ方向Ｔにおいて重複している。それにより、包装シート第３領域存在部分１８の皺４５の一部がタブ１０５に被覆され、包装シート第３領域存在部分１８の皺４５が、使用者に認識されにくくなる。
【００５８】
第１実施形態に従う個包装体では、吸収性物品と、剥離シートと、包装シートとが、２つの折軸で折畳まれた構造を有していたが、本開示の別の実施形態に従う個包装体では、それらが、３つ以上の折軸、例えば、３つの折軸で、吸収性物品の長手方向に折畳まれていてもよい。
【００５９】
例えば、吸収性物品と、剥離シートと、包装シートとが、３つの折軸（第１折軸、第２折軸及び第３折軸）で、吸収性物品の長手方向に折畳まれている実施形態では、一方の端部及び第１折軸の間の第１領域と、第１折軸及び第２折軸の間の第２領域と、第２折軸及び第３折軸の間の第３領域と、第３折軸及び他方の端部の間の第４領域とに区画される。上記実施形態では、個包装体の厚さ方向において、第２領域、第４領域、第３領域及び第１領域がその順番で存在する実施形態（いわゆる、巻々四折り）と、第２領域、第３領域、第４領域及び第１領域がその順番で存在する実施形態（いわゆる、巻四つ折り）とが含まれる。
【００６０】
本開示において、第１領域及び第２領域に形成されうる文字領域は、文字情報を含むものであれば、特に制限されず、商品名、商標、標語（例えば、スローガン、モットー）、キャッチフレーズ、文章（例えば、使用上の注意）等が含まれる。
上記文字情報としては、使用者の着目度の高さの観点から、メッセージ性を有するもの、特に、個包装体に含まれる吸収性物品と関係性の低いメッセージを含むもの、例えば、標語（例えば、スローガン、モットー）であることが好ましい。
また、上記文字情報には、文字のみならず、記号が含まれる。
【００６１】
上記文字領域は、包装シートの外面（吸収性物品と反対側の面）に配置されていてもよく、そして包装シートの内面（吸収性物品側の面）に配置されていてもよい。
また、上記文字領域は、当技術分野で公知の手段によって形成され、例えば、包装シートになされた印刷、包装シートに貼付されたステッカー等であることができる。
【００６２】
本開示の個包装体では、第１領域又は第２領域における文字領域は、個包装体の厚さ方向において、固定部と重複しておらず、そして文字領域及び固定部の、個包装体の平面方向の間隔（最短距離）が、個包装体の開封方向の長さに対して、好ましくは３０％以下、より好ましくは２０％以下、そしてさらに好ましくは１０％以下である。それにより、使用者が、文字領域の文字情報に着目しやすくなり、使用者が、固定部関連ゆがみ等に着目しにくくなる。
【００６３】
また、文字領域及び固定部の、個包装体の平面方向の間隔（最短距離）が、個包装体の開封方向の長さに対して、好ましくは０．３％以上、より好ましくは０．５％以上、そしてさらに好ましくは１．０％以上である。それにより、文字領域が、包装シートの固定部関連ゆがみ等の影響を受けにくくなる。
【００６４】
本開示の個包装体では、第１領域又は第２領域において、文字領域の長さが、固定部の長さよりも長く、好ましくは１．１倍以上長く、より好ましくは１．３倍以上長く、そしてさらに好ましくは１．５倍以上長い。それにより、使用者が、文字領域に着目しやすくなり、固定部関連ゆがみ等に着目しにくくなる。
【００６５】
上記長さは、所定方向における、個包装体の平面方向の長さである。
上記所定方向は、特に制限されず、例えば、個包装体の開封方向、交差方向等であることができ、そして交差方向であることが好ましい。使用者は、最終的には、個包装体を、開封方向が上下方向となるように保持し、個包装体を開封することが多いため、文字領域及び固定部が交差方向において上記長さの関係を満たすと、使用者が、文字領域に含まれる文字情報に着目しやすくなるためである。
当該観点からは、文字領域は、個包装体の開封方向を文字情報の上下方向とする文字が、個包装体の交差方向に並んでいることが好ましい。
【００６６】
本開示の個包装体では、第１領域又は第２領域において、文字領域と、固定部との、個包装体の平面方向における位置関係は任意であるが、文字領域及び固定部が、吸収性物品の長手方向に沿って配置されていることが好ましく、そして吸収性物品の長手軸線に沿って配置されていることがより好ましい。剥離シート、ひいては吸収性物品を、包装シートに効率よく固定することができる一方で、使用者が、文字領域に含まれる文字情報に、より注目しやすくなり、包装シートの固定部関連ゆがみ等に着目しにくくなる。
なお、本開示の個包装体では、固定部と、個包装体の厚さ方向に重複する文字領域が存在していてもよい。
【００６７】
本開示の個包装体では、文字領域は、個包装体の厚さが厚い部分に配置されていることが好ましい。文字領域が、個包装体の平面方向に引き延ばされた状態になりやすく、使用者が、文字領域に含まれる文字情報に着目しやすくなるからである。個包装体の厚さが厚い部分としては、吸収性物品第１領域存在部分と、吸収性物品第２領域存在部分とが、個包装体の厚さ方向に重複する範囲、並びに吸収性物品第１領域存在部分と、吸収性物品第２領域存在部分と、吸収性物品第３領域存在部分とが、個包装体の厚さ方向に重複する範囲が挙げられる。
【００６８】
同様の観点から、個包装体の厚さが厚い部分としては、吸収体第１領域存在部分と、吸収体第２領域存在部分とが、個包装体の厚さ方向に重複する範囲、吸収体第１領域存在部分と、吸収体第２領域存在部分と、吸収体第３領域存在部分とが、個包装体の厚さ方向に重複する範囲等が挙げられる。
【００６９】
本開示の個包装体が、第１領域において、包装シートの端部に配置されたタブと、上述の文字領域及び固定部とを備える場合には、それらの、個包装体の平面方向における位置関係は任意であるが、固定部と、文字領域と、タブとが、その順番で、吸収性物品の長手軸線に沿って配置されていることが好ましい。それにより、文字領域及び固定部関連ゆがみ等が、個包装体の平面方向に引き延ばされやすくなるからである。
【００７０】
本開示の個包装体では、第１領域及び第２領域の少なくとも一方において、上述の文字領域と、固定部とを備える。本開示の個包装体では、第１領域及び第２領域の両方において、上述の文字領域と、固定部とを備えることが好ましい。使用者が、個包装体の第１領域及び第２の領域のいずれを視認した場合であっても、本開示の効果が得られるためである。
【００７１】
なお、本開示の個包装体では、第１領域及び第２領域の両方において、上述の文字領域と、固定部とを備える場合には、第１領域における文字領域と、第２領域における文字領域とは、異なるものであってよく、そして第１領域における固定部と、第２領域における固定部とは、異なるものであってよい。
【００７２】
本開示の個包装体が、第１領域において、包装シートの端部に配置されたタブを備え、そして第３領域において、固定部を備える場合には、タブが、第３領域における包装シートの、固定部と厚さ方向に重複する領域に固定されていることが好ましい。包装シートの第３領域に存在する部分の、固定部関連ゆがみ等の少なくとも一部がタブを被覆される観点からである。
【００７３】
本開示の個包装体では、剥離シート、ひいては吸収性物品を包装シートに固定する観点からは、個包装体が、第１領域及び第３領域に、上述の固定部を有していることが好ましく、そして第１領域、第２領域及び第３領域に、上述の固定部を有することが好ましい。すなわち、本開示の個包装体は、必ずしも、第２領域に固定部を有していなくともよい。
【００７４】
本開示の個包装体における吸収性物品としては、着衣に固定して用いられ且つ個包装化されるものであれば特に制限されず、例えば、生理用ナプキン、パンティーライナー、失禁パッド等が挙げられる。
【００７５】
本開示の個包装体のパッケージでは、複数の個包装体が、パッケージ用シートで包装させている。上記パッケージでは、複数の個包装体は、互いに同様の構造、好ましくは文字領域を除いて同一の構造を有していることが好ましい。
【００７６】
本開示の実施形態の１つに従うパッケージでは、複数の個包装体のそれぞれが、個包装体の個数を基準として、好ましくは残余の個包装体の少なくとも一部、より好ましくは２０％以上、さらに好ましくは４０％以上、そしてさらにいっそう好ましくは６０％以上の文字情報と異なる文字情報を含む。そうすることにより、使用者が、個包装体を取出した際に、他の個包装体と異なる部分、すなわち、異なる文字情報に着目しやすくなり、包装シートの固定部関連ゆがみ等に着目しにくくなる。
【００７７】
本開示の別の実施形態に従うパッケージでは、複数の個包装体のそれぞれが、個包装体の個数を基準として、好ましくは残余の個包装体の少なくとも一部、より好ましくは２０％以上、さらに好ましくは４０％以上、そしてさらにいっそう好ましくは６０％以上の文字領域と異なる位置に配置された文字領域を備える。そうすることにより、使用者が、個包装体を取出した際に、他の個包装体と異なる部分、すなわち、他の個包装体と異なる領域に配置された文字領域（の文字情報）に着目しやすくなり、包装シートの固定部関連ゆがみ等に着目しにくくなる。
【符号の説明】
【００７８】
１    個包装体
３    吸収性物品
９    剥離シート
１５    包装シート
２１    外面
２３    内面
２５    固定部
２６    第１固定部
２７    第２固定部
２８    第３固定部
３１    第１領域内第１文字領域
３３    第２領域内第１文字領域
３４    第２領域内第２文字領域
３５    吸収体
４１    粘着部
４３    ゆがみ
４５    皺
ＦＡ1    第１折軸
ＦＡ2    第２折軸
Ｒ1    第１領域
Ｒ2    第２領域
Ｒ3    第３領域
【図１】
2018075318.tif 000003
【図２】
2018075318.tif 000004
【図３】
2018075318.tif 000005
【図４】
2018075318.tif 000006
【図５】
2018075318.tif 000007
【図６】
2018075318.tif 000008
【図７】
2018075318.tif 000009
【図８】
2018075318.tif 000010
【図９】
2018075318.tif 000011